(57)【特許請求の範囲】
【請求項１】
記憶装置と、
複数の設備機器に対応する複数の操作釦と、
前記操作釦を操作する操作者に対して、前記設備機器が設置されている領域を特定する領域特定情報をアナウンスするスピーカと、
前記操作釦が操作されることにより、操作された前記操作釦を特定する操作釦特定情報が入力され、入力された前記操作釦特定情報を前記記憶装置に記憶させ、前記設備機器および前記スピーカを制御する制御装置と
を備え、
前記制御装置は、前記制御装置に入力された前記操作釦特定情報が、前記操作釦特定情報が前記制御装置に入力される以前に前記記憶装置に記憶されていない場合には、前記設備機器の駆動を制御せず、操作された前記操作釦に対応する前記設備機器が設置されている領域の前記領域特定情報を前記スピーカにアナウンスさせ、前記制御装置に入力された前記操作釦特定情報が、前記操作釦特定情報が前記制御装置に入力される以前に前記記憶装置に記憶されている場合には、操作された前記操作釦に対応する前記設備機器の駆動を制御し、前記記憶装置に記憶されている前記操作釦特定情報を削除することを特徴とする設備機器用操作装置。
【請求項２】
各前記設備機器が設置されている領域を区分けして示す地図を表示する表示装置をさらに備え、
前記操作釦は、前記操作釦に対応する前記設備機器の設置位置に基づいて前記地図上に配置されていることを特徴とする請求項１に記載の設備機器用操作装置。
【請求項３】
複数の前記設備機器が設置されている室内へ出入りする入退室者を管理する入退室者管理装置から入退室者特定情報が入力される入退室者特定情報入力装置をさらに備え、
前記表示装置は、前記入退室者特定情報入力装置に入力された前記入退室者特定情報に対応する前記設備機器が設置されている領域を、他の前記設備機器が設置されている領域と区別して前記地図に表示することを特徴とする請求項２に記載の設備機器用操作装置。
【請求項４】
前記制御装置は、前記入退室者特定情報が前記入退室者特定情報入力装置に入力され、さらに、前記入退室者特定情報に対応する前記操作釦特定情報が前記制御装置に入力された場合に、操作された前記操作釦に対応する前記設備機器の駆動を制御することを特徴とする請求項３に記載の設備機器用操作装置。
【請求項５】
記憶装置と、複数の設備機器に対応する複数の操作釦と、前記操作釦を操作する操作者に対して、前記設備機器が設置されている領域を特定する領域特定情報をアナウンスするスピーカと、前記操作釦が操作されることにより、操作された前記操作釦を特定する操作釦特定情報が入力され、入力された前記操作釦特定情報を前記記憶装置に記憶させ、前記設備機器および前記スピーカを制御する制御装置とを備えた設備機器用操作装置の制御方法であって、
前記制御装置に入力された前記操作釦特定情報が、前記操作釦特定情報が前記制御装置に入力される以前に前記記憶装置に記憶されているか否かを判定する記憶判定工程と、
前記記憶判定工程で、前記制御装置に入力された前記操作釦特定情報が、前記操作釦特定情報が前記制御装置に入力される以前に前記記憶装置に記憶されていないと判定された後、前記設備機器の駆動を制御せず、操作された前記操作釦に対応する前記設備機器が設置されている領域の前記領域特定情報を前記スピーカにアナウンスさせるアナウンス工程と、
前記記憶判定工程で、前記制御装置に入力された前記操作釦特定情報が、前記操作釦特定情報が前記制御装置に入力される以前に前記記憶装置に記憶されていると判定された後、操作された前記操作釦に対応する前記設備機器の駆動を制御する設備機器駆動工程と、
前記設備機器駆動工程の後、前記記憶装置に記憶されている前記操作釦特定情報を削除する記憶削除工程とを備えたことを特徴とする設備機器用操作装置の制御方法。
【発明の詳細な説明】
【技術分野】
【０００１】
この発明は、操作釦が操作されることにより、操作釦に対応する設備機器の駆動を制御する設備機器用操作装置およびその制御方法に関する。
【背景技術】
【０００２】
従来、複数の照明装置に対応する複数の操作釦を備えた照明装置用操作装置が知られている。複数の操作釦のうちの何れか１つの操作釦が操作されることにより、その操作釦に対応する照明装置が点灯または消灯をする（例えば、特許文献１参照）。
【先行技術文献】
【特許文献】
【０００３】
【特許文献１】特開２０１０−１４７０１３号公報
【発明の概要】
【発明が解決しようとする課題】
【０００４】
しかしながら、操作釦を操作する操作者は、複数の操作釦から適切な操作釦を操作しようとしても、誤った操作釦を操作してしまう恐れがあるという問題点があった。
【０００５】
この発明は、操作釦の誤操作の発生を抑制することができる設備機器用操作装置およびその制御方法を提供するものである。
【課題を解決するための手段】
【０００６】
この発明に係る設備機器用操作装置は、記憶装置と、複数の設備機器に対応する複数の操作釦と、前記操作釦を操作する操作者に対して、前記設備機器が設置されている領域を特定する領域特定情報をアナウンスするスピーカと、前記操作釦が操作されることにより、操作された前記操作釦を特定する操作釦特定情報が入力され、入力された前記操作釦特定情報を前記記憶装置に記憶させ、前記設備機器および前記スピーカを制御する制御装置とを備え、前記制御装置は、前記制御装置に入力された前記操作釦特定情報が、前記操作釦特定情報が前記制御装置に入力される以前に前記記憶装置に記憶されていない場合には、前記設備機器の駆動を制御せず、操作された前記操作釦に対応する前記設備機器が設置されている領域の前記領域特定情報を前記スピーカにアナウンスさせ、前記制御装置に入力された前記操作釦特定情報が、前記操作釦特定情報が前記制御装置に入力される以前に前記記憶装置に記憶されている場合には、操作された前記操作釦に対応する前記設備機器の駆動を制御し、前記記憶装置に記憶されている前記操作釦特定情報を削除する。
【０００７】
この発明に係る設備機器用操作装置の制御方法は、記憶装置と、複数の設備機器に対応する複数の操作釦と、前記操作釦を操作する操作者に対して、前記設備機器が設置されている領域を特定する領域特定情報をアナウンスするスピーカと、前記操作釦が操作されることにより、操作された前記操作釦を特定する操作釦特定情報が入力され、入力された前記操作釦特定情報を前記記憶装置に記憶させ、前記設備機器および前記スピーカを制御する制御装置とを備えた設備機器用操作装置の制御方法であって、前記制御装置に入力された前記操作釦特定情報が、前記操作釦特定情報が前記制御装置に入力される以前に前記記憶装置に記憶されているか否かを判定する記憶判定工程と、前記記憶判定工程で、前記制御装置に入力された前記操作釦特定情報が、前記操作釦特定情報が前記制御装置に入力される以前に前記記憶装置に記憶されていないと判定された後、前記設備機器の駆動を制御せず、操作された前記操作釦に対応する前記設備機器が設置されている領域の前記領域特定情報を前記スピーカにアナウンスさせるアナウンス工程と、前記記憶判定工程で、前記制御装置に入力された前記操作釦特定情報が、前記操作釦特定情報が前記制御装置に入力される以前に前記記憶装置に記憶されていると判定された後、操作された前記操作釦に対応する前記設備機器の駆動を制御する設備機器駆動工程と、前記設備機器駆動工程の後、前記記憶装置に記憶されている前記操作釦特定情報を削除する記憶削除工程とを備えている。
【発明の効果】
【０００８】
この発明に係る設備機器用操作装置によれば、制御装置に入力された操作釦特定情報が、操作釦特定情報が制御装置に入力される以前に記憶装置に記憶されていない場合には、操作された操作釦に対応する設備機器が設置されている領域の領域特定情報がスピーカにアナウンスされ、制御装置に入力された操作釦特定情報が、操作釦特定情報が制御装置に入力される以前に記憶装置に記憶されている場合には、操作された操作釦に対応する設備機器の駆動が制御され、記憶装置に記憶されている操作釦特定情報が削除されるので、操作者が操作釦を操作するのが１回目である場合には、設備機器の駆動は制御されず、操作釦に対応する設備機器が設置されている領域の領域特定情報がスピーカによりアナウンスされ、操作者が操作釦を操作するのが２回目である場合には、設備機器の駆動が制御される。これにより、操作釦の誤操作の発生を抑制することができる。
【０００９】
この発明に係る設備機器用操作装置の制御方法によれば、制御装置に入力された操作釦特定情報が、操作釦特定情報が制御装置に入力される以前に記憶装置に記憶されているか否かを判定する記憶判定工程と、記憶判定工程で、制御装置に入力された操作釦特定情報が、操作釦特定情報が制御装置に入力される以前に記憶装置に記憶されていないと判定された後、操作された操作釦に対応する設備機器が設置されている領域の領域特定情報をスピーカにアナウンスさせるアナウンス工程と、記憶判定工程で、制御装置に入力された操作釦特定情報が、操作釦特定情報が制御装置に入力される以前に記憶装置に記憶されていると判定された後、操作された操作釦に対応する設備機器の駆動を制御する設備機器駆動工程と、設備機器駆動工程の後、記憶装置に記憶されている操作釦特定情報を削除する記憶削除工程とを備えているので、操作者が操作釦を操作するのが１回目である場合には、設備機器の駆動は制御されず、操作釦に対応する設備機器が設置されている領域の領域特定情報がスピーカによりアナウンスされ、操作者が操作釦を操作するのが２回目である場合には、設備機器の駆動が制御される。これにより、操作釦の誤操作の発生を抑制することができる。
【図面の簡単な説明】
【００１０】
【図１】この発明の実施の形態１に係る照明装置システムを示すブロック図である。
【図２】図１の操作釦を示す正面図である。
【図３】図１の照明装置システムの動作を示すフローチャートである。
【図４】この発明の実施の形態２に係る照明装置システムを示すブロック図である。
【図５】図４の表示装置を示す正面図である。
【図６】図４の照明装置システムの動作を示すフローチャートである。
【発明を実施するための形態】
【００１１】
以下、この発明の各実施の形態を図に基づいて説明するが、各図において、同一または相当の部材、部位については、同一符号を付して説明する。
【００１２】
実施の形態１．
図１はこの発明の実施の形態１に係る照明装置システムを示すブロック図である。図において、照明装置システムは、照明装置（設備機器）１と、照明装置１を操作するための照明装置用操作装置（設備機器用操作装置）２とを備えている。図１では、照明装置１が１個だけ示されているが、この例では、照明装置システムは、６個の照明装置１を備えている。
【００１３】
照明装置用操作装置２は、各照明装置１に対応する操作釦２１と、操作釦２１を操作する操作者に対してアナウンスをするスピーカ２２と、操作釦２１が操作されることにより、操作釦２１を特定する操作釦特定情報が入力される制御装置２３と、制御装置２３に入力された操作釦特定情報を記憶する記憶装置２４とを備えている。図１では、操作釦２１が１個だけ示されているが、照明装置用操作装置２は、６個の照明装置１に対応して、６個の操作釦２１を備えている。
【００１４】
図２は図１の操作釦２１を示す正面図である。操作釦２１には、操作釦２１に対応する照明装置１が設置されている領域を示す名称が記載されている。この例では、照明装置１が設置されている領域の名称として、エリア１〜エリア６が操作釦２１に記載されている。
【００１５】
図１に示すように、スピーカ２２は、照明装置１が設置されている領域を特定する領域特定情報をアナウンスする。領域特定情報としては、例えば、照明装置１が設置されている領域の名称やその領域に対応する部署の名称などが挙げられる。
【００１６】
制御装置２３は、操作釦特定情報と、操作釦特定情報により特定された操作釦２１に対応する照明装置１の領域特定情報と、操作釦特定情報により特定された操作釦２１に対応する照明装置１を特定する照明装置特定情報とを互いに対応させた記憶テーブルを有している。制御装置２３は、入力された操作釦特定情報に基づいて、領域特定情報をスピーカ２２にアナウンスさせる。つまり、制御装置２３は、操作釦特定情報が入力されると、入力された操作釦特定情報により特定される操作釦２１に対応する照明装置１が設置されている領域の領域特定情報をスピーカ２２にアナウンスさせる。また、制御装置２３は、入力された操作釦特定情報に基づいて、照明装置１の駆動を制御する。つまり、制御装置２３は、操作釦特定情報が入力されると、入力された操作釦特定情報により特定される操作釦２１に対応する照明装置１を点灯させたり消灯させたりする。制御装置２３は、記憶装置２４に記憶された操作釦特定情報を所定の時間、例えば、３０秒間が経過した後に、削除するようになっている。したがって、誤って操作釦２１が操作され、所定の時間経過後、再び、その操作釦２１が誤って操作された場合であっても、その操作釦２１に対応する照明装置１の駆動は制御されない。
【００１７】
照明装置１、スピーカ２２および記憶装置２４は、制御装置２３により制御される。
【００１８】
次に、照明装置システムの動作について説明する。図３は図１の照明装置システムの動作を示すフローチャートである。まず、制御装置２３は、操作釦特定情報が制御装置２３に入力されたか否かを判定する（ステップＳ１０１）。ステップＳ１０１で、操作釦特定情報が入力されていないと制御装置２３が判定すると、操作釦２１が操作されていないので、ステップＳ１０１を繰り返す。
【００１９】
一方、ステップＳ１０１で、操作釦特定情報が入力されたと制御装置２３が判定すると、制御装置２３は、入力された操作釦特定情報が、その操作釦特定情報が制御装置２３に入力される以前に記憶装置２４に記憶されているか否かを判定する（記憶判定工程）（ステップＳ１０２）。
【００２０】
ステップＳ１０２で、入力された操作釦特定情報が記憶装置２４に記憶されていないと制御装置２３が判定すると、操作釦２１が操作されたのが１回目であるので、制御装置２３は、操作釦特定情報により特定される操作釦２１に対応する照明装置１が設置されている領域の領域特定情報をスピーカ２２にアナウンスさせる（アナウンス工程）（ステップＳ１０３）。その後、制御装置２３は、入力された操作釦特定情報を記憶装置２４に記憶する（記憶工程）（ステップＳ１０４）。その後、ステップＳ１０１に戻る。
【００２１】
一方、ステップＳ１０２で、入力された操作釦特定情報が記憶装置２４に記憶されていると制御装置２３が判定すると、操作釦２１が操作されたのが２回目であるので、制御装置２３は、操作釦特定情報により特定される操作釦２１に対応する照明装置１の駆動を制御する（照明装置駆動工程）（設備機器駆動工程）（ステップＳ１０５）。つまり、操作釦２１の操作が点灯操作の場合には、照明装置１が点灯し、操作釦２１の操作が消灯操作の場合には、照明装置１が消灯し、操作釦２１の操作が明るさ調整操作の場合には、照明装置１の明るさが調整される。その後、制御装置２３は、記憶装置２４に記憶されている操作釦特定情報を削除する（記憶削除工程）（ステップＳ１０６）。
【００２２】
以上説明したように、この発明の実施の形態１に係る照明装置用操作装置２によれば、制御装置２３に入力された操作釦特定情報が、操作釦特定情報が制御装置２３に入力される以前に記憶装置２４に記憶されていない場合には、操作された操作釦２１に対応する照明装置１が設置されている領域の領域特定情報がスピーカ２２にアナウンスされ、制御装置２３に入力された操作釦特定情報が、操作釦特定情報が制御装置２３に入力される以前に記憶装置２４に記憶されている場合には、操作された操作釦２１に対応する照明装置１の駆動が制御され、記憶装置２４に記憶されている操作釦特定情報が削除されるので、操作者が操作釦２１を操作するのが１回目である場合には、照明装置１の駆動は制御されず、操作釦２１に対応する照明装置１が設置されている領域の領域特定情報がスピーカ２２によりアナウンスされ、操作者が操作釦２１を操作するのが２回目である場合には、照明装置１の駆動が制御される。これにより、操作釦２１の誤操作の発生を抑制することができる。
【００２３】
また、この発明の実施の形態１に係る照明装置用操作装置２の制御方法によれば、制御装置２３に入力された操作釦特定情報が、操作釦特定情報が制御装置２３に入力される以前に記憶装置２４に記憶されているか否かを判定する記憶判定工程と、記憶判定工程で、制御装置２３に入力された操作釦特定情報が、操作釦特定情報が制御装置２３に入力される以前に記憶装置２４に記憶されていないと判定された後、操作された操作釦２１に対応する照明装置１が設置されている領域の領域特定情報をスピーカ２２にアナウンスさせるアナウンス工程と、記憶判定工程で、制御装置２３に入力された操作釦特定情報が、操作釦特定情報が制御装置２３に入力される以前に記憶装置２４に記憶されていると判定された後、操作された操作釦２１に対応する照明装置１の駆動を制御する照明装置駆動工程と、照明装置駆動工程の後、記憶装置２４に記憶されている操作釦特定情報を削除する記憶削除工程とを備えているので、操作者が操作釦２１を操作するのが１回目である場合には、照明装置１の駆動は制御されず、操作釦２１に対応する照明装置１が設置されている領域の領域特定情報がスピーカ２２によりアナウンスされ、操作者が操作釦２１を操作するのが２回目である場合には、照明装置１の駆動が制御される。これにより、操作釦２１の誤操作の発生を抑制することができる。
【００２４】
実施の形態２．
図４はこの発明の実施の形態２に係る照明装置システムを示すブロック図である。図において、照明装置システムは、複数の照明装置１が設置されている室内へ出入りする入退室者を管理する入退室者管理装置３をさらに備えている。入退室者管理装置３には、入退室者が室内へ出入する際に、例えばＩＤカード等により、入退室者を特定する入退室者特定情報が入力される。
【００２５】
照明装置用操作装置２は、入退室者特定情報が入力される入退室者特定情報入力装置２５と、各照明装置１が設置されている領域を区分けして示す地図を表示する表示装置２６とをさらに備えている。
【００２６】
制御装置２３は、入退室者特定情報入力装置２５から入退室者特定情報が入力される。制御装置２３が有する記憶テーブルは、入退室者特定情報と、入退室者特定情報により特定される入退室者の室内における居所に設置されている照明装置１の照明装置特定情報とを互いに対応させてさらに記憶している。つまり、制御装置２３が有する記憶テーブルは、操作釦特定情報と、領域特定情報と、照明装置特定情報と、入退室者特定情報とを互いに対応させて記憶している。制御装置２３は、入退室者特定情報が制御装置２３に入力されると、入力された入退室者特定情報に対応する操作釦特定情報を記憶装置２４に記憶させる。
【００２７】
図５は図４の表示装置２６を示す正面図である。表示装置２６が表示する地図には、各照明装置１が設置されている領域を示す部分に、各領域の名称である番号が付されている。操作釦２１（図４）は、タッチパネルから構成されており、操作釦２１に対応する照明装置１の設置位置に基づいて地図上に配置されている。つまり、操作者が、地図に示されている照明装置１の領域に触れることにより、その照明装置１に対応する操作釦２１が操作される。
【００２８】
また、表示装置２６は、入退室者特定情報が制御装置２３に入力されると、入力された入退室者特定情報に対応する照明装置特定情報により特定される照明装置１が設置されている領域を、他の照明装置１が設置されている領域と区別して地図に表示するようになっている。具体的には、表示装置２６は、照明装置１が設置されている領域を示す部分を、他の照明装置１が設置されている領域の部分よりも明るく表示したり、他の照明装置１が設置されている領域の部分と異なる色で表示したりする。その他の構成は、実施の形態１と同様である。
【００２９】
次に、照明装置システムの動作について説明する。図６は図４の照明装置システムの動作を示すフローチャートである。まず、制御装置２３は、入退室者特定情報が制御装置２３に入力されたか否かを判定する（ステップＳ２０１）。ステップＳ２０１で、入退室者特定情報が入力されたと制御装置２３が判定すると、記憶装置２４は、入退室者特定情報に対応する操作釦特定情報を記憶する（ステップＳ２０２）。その後、表示装置２６は、入退室者特定情報に対応する照明装置特定情報により特定される照明装置１が設置されている領域を、他の照明装置１が設置されている領域と区別して地図に表示する（ステップＳ２０３）。
【００３０】
その後、制御装置２３は、操作釦特定情報が制御装置２３に入力されたか否かを判定する（ステップＳ２０４）。ステップＳ２０１で、入退室者特定情報が入力されていないと制御装置２３が判定すると、そのまま、ステップＳ２０４に進む。
【００３１】
ステップＳ２０４で、操作釦特定情報が入力されていないと制御装置２３が判定すると、操作釦２１が操作されていないので、ステップＳ２０４を繰り返す。一方、ステップＳ２０４で、操作釦特定情報が入力されたと制御装置２３が判定すると、制御装置２３は、入力された操作釦特定情報が、その操作釦特定情報が制御装置２３に入力される以前に記憶装置２４に記憶されているか否かを判定する（記憶判定工程）（ステップＳ２０５）。
【００３２】
ステップＳ２０５で、入力された操作釦特定情報が記憶装置２４に記憶されていないと制御装置２３が判定すると、制御装置２３は、操作釦特定情報に対応する領域特定情報をスピーカ２２にアナウンスさせる（ステップＳ２０６）。その後、制御装置２３は、入力された操作釦特定情報を記憶装置２４に記憶する（記憶工程）（ステップＳ２０７）。その後、ステップＳ２０４に戻る。
【００３３】
一方、ステップＳ２０５で、入力された操作釦特定情報が記憶装置２４に記憶されていると制御装置２３が判定すると、制御装置２３は、操作釦特定情報により特定される操作釦２１に対応する照明装置１の駆動を制御する（照明装置駆動工程）（設備機器駆動工程）（ステップＳ２０８）。つまり、操作釦２１の操作が点灯操作の場合には、照明装置１が点灯し、操作釦２１の操作が消灯操作の場合には、照明装置１が消灯し、操作釦２１の操作が明るさ調整操作の場合には、照明装置１の明るさが調整される。その後、制御装置２３は、記憶装置２４に記憶されている操作釦特定情報を削除する（記憶削除工程）（ステップＳ２０９）。
【００３４】
以上説明したように、この発明の実施の形態２に係る照明装置用操作装置２によれば、各照明装置１が設置されている領域を区分けして示す地図を表示する表示装置２６をさらに備え、操作釦２１は、操作釦２１に対応する照明装置１の設置位置に基づいて地図上に配置されているので、操作者は、駆動を制御しようとする照明装置１に対応する操作釦２１を容易に見つけることができる。これにより、操作釦２１の誤操作の発生をさらに抑制することができる。
【００３５】
また、照明装置用操作装置２は、複数の照明装置１が設置されている室内へ出入りする入退室者を管理する入退室者管理装置３から入退室者特定情報が入力される入退室者特定情報入力装置２５をさらに備え、表示装置２６は、入退室者特定情報入力装置２５に入力された入退室者特定情報に対応する照明装置１が設置されている領域を、他の照明装置１が設置されている領域と区別して地図に表示するので、入退室者は、自己の座席に対応する照明装置１の操作釦２１を容易に見つけることができる。これにより、操作釦２１の誤操作の発生をさらに抑制することができる。
【００３６】
また、制御装置２３は、入退室者特定情報が入退室者特定情報入力装置２５に入力され、さらに、入退室者特定情報に対応する操作釦特定情報が制御装置２３に入力された場合に、操作された操作釦２１に対応する照明装置１の駆動を制御するので、入退室者は、自己の座席に対応する照明装置１の操作釦２１を一度操作することにより、照明装置１の駆動を制御することができる。
【００３７】
なお、各上記実施の形態では、設備機器として、照明装置１を例に説明したが、これに限らず、例えば、空調装置などであってもよい。
【符号の説明】
【００３８】
１  照明装置（設備機器）、２  照明装置用操作装置（設備機器用操作装置）、３  入退室者管理装置、２１  操作釦、２２  スピーカ、２３  制御装置、２４  記憶装置、２５  入退室者特定情報入力装置、２６  表示装置。
【図１】
0005719711.tif 000002
【図２】
0005719711.tif 000003
【図３】
0005719711.tif 000004
【図４】
0005719711.tif 000005
【図５】
0005719711.tif 000006
【図６】
0005719711.tif 000007